(57)【要約】  本発明は、管を容易かつ迅速に固定及び取外すことができる管構造固定装置を開示するものである。 管構造固定装置には、本体（２０）に挿入された管（１０）を止めるための、本体（２０）内側の下部分に形成された停止部（２１）を有する本体（２０）と、管（１０）を支持し、管（１０）の外周面に密接に接触するための、停止部（２１）から本体（２０）の上端部に向かって部分的に上向きに延びた延長部分と、内部に中空部分を有し、かつ本体上端部に向かって徐々に細くなった直径を有するテーパー部（２２）と、本体（２０）中の管１０に挿入するため、テーパー部（２２）の端部で断面逆L字形状に折り曲げられるように形成された吸気口（２３）と、本体（２０）のテーパー部（２２）の内部中空部分に取り付けられ、またテーパー部の形状に対応するために、その上部分が幅狭く、その下部分が幅広くなるように形成された固定片（２４）と、その中に垂直に形成された少なくとも１本のボルト穴（２６）とを有する固定片（２４）と、本体（２０）の吸入側を穿通し、固定片（２４）のボルト穴（２６）に挿入されたボルト（２５）と、ボルトを締め付けると、固定片（２４）が本体（２０）のテーパー部（２２）と管（１０）との間に介在するように、楔としての作用を果たす固定片とが含まれる。
2006524784.tif 000002
【特許請求の範囲】
【請求項１】
管構造の基部を形成する、管を挿入して固定するための管固定システムであって、
本体（２０）に挿入された管（１０）を止めるための、本体（２０）内側の下部分に形成された停止部（２１）を有する本体（２０）と、管（１０）を支持し、管（１０）の外周面に密接に接触するための、停止部（２１）から本体（２０）の上端部に向かって部分的に上向きに延びた延長部分と、内部に中空部分を有し、かつ本体上端部に向かって徐々に細くなった直径を有するテーパー部（２２）と、本体（２０）中の管１０に挿入するため、テーパー部（２２）の端部で逆Ｌ字形状に折り曲げられるように設けられた吸気口（２３）と、
本体（２０）のテーパー部（２２）の内部中空部分に取り付けられ、またテーパー部の形状に対応するために、その上部分が幅狭く、その下部分が幅広くなるように形成された固定片（２４）と、その中に垂直に形成された少なくとも１本のボルト穴（２６）とを有する固定片（２４）と、
本体（２０）の吸入側を穿通し、固定片（２４）のボルト穴（２６）に挿入されたボルト（２５）と、ボルトを締め付けると、固定片（２４）が本体（２０）のテーパー部（２２）と管（１０）との間に介在するように、楔としての作用を果たす固定片とを具備する管固定システム。
【請求項２】
本体（２０）の下部分に取り付けられ、かつボルトによって基礎コンクリート上に固定されるように外側に延びる固定板（２７）が本体（２０）に含まれることを特徴とする、請求項１に記載の管固定システム。
【請求項３】
少なくとも２つの管固定システムを具備する管構造の接続系であって、各管固定システムには、
本体（２０）に挿入された管（１０）を止めるための本体（２０）内側の下部分に形成された停止部（２１）を有する本体（２０）と、管（１０）を支持し、管（１０）の外周面に密接に接触するための停止部（２１）から本体（２０）の上端部に向かって部分的に上向きに延びた延長部分と、内部に中空部分を有し、かつ本体上端部に向かって徐々に細くなった直径を有するテーパー部（２２）と、本体（２０）中の管１０に挿入するため、テーパー部（２２）の端部で逆Ｌ字形状に折り曲げられるように形成された吸気口（２３）と、
本体（２０）のテーパー部（２２）の内部中空部分に取り付けられ、またテーパー部の形状に対応するために、その上部分が幅狭く、その下部分が幅広くなるように形成された固定片（２４）と、その中に垂直に形成された１本以上のボルト穴（２６）を有する固定片（２４）と、
本体（２０）の吸入側を穿通し、固定片（２４）のボルト穴（２６）に挿入されたボルト（２５）と、ボルトを締め付けると、固定片（２４）が本体（２０）のテーパー部（２２）と管（１０）との間に介在するように、楔としての作用を果たす固定片とを具備する管固定システムであって、さらに
少なくとも２つの管固定システムが互いに接続され、かつ互いに一体化されており、管固定システムの吸気口（２３）が様々な方向に配設されていることを特徴とする管固定システム。
【請求項４】
少なくとも２つの管固定システムを具備する管を接続するための管継手であって、各管固定システムには、
本体（２０）に挿入された管（１０）を止めるための、本体（２０）内側の下部分に形成された停止部（２１）を有する本体（２０）と、管（１０）を支持し、管（１０）の外周面に密接に接触するための、停止部（２１）から本体（２０）の上端部に向かって部分的に上向きに延びた延長部分と、内部に中空部分を有し、かつ本体上端部に向かって徐々に細くなった直径を有するテーパー部（２２）と、本体（２０）中の管１０に挿入するため、テーパー部（２２）の端部で逆Ｌ字形状に折り曲げられるように形成された吸気口（２３）と、
本体（２０）のテーパー部（２２）の内部中空部分に取り付けられ、またテーパー部の形状に対応するために、その上部分が幅狭く、その下部分が幅広くなるように形成された固定片（２４）と、その中に垂直に形成された少なくとも１本のボルト穴（２６）とを有する固定片（２４）と、
本体（２０）の吸入側を穿通し、固定片（２４）のボルト穴（２６）に挿入されたボルト（２５）と、ボルトを締め付けると、固定片（２４）が本体（２０）のテーパー部（２２）と管（１０）との間に介在するように、楔としての作用を果たす固定片（２４）とを具備する管固定システムであって、さらに
少なくとも２つの管固定システムが互いに接続され、かつ互いに一体化されており、管固定システムの吸気口（２３）が様々な方向に配設されており、シール適性を維持するためにゴムパッキン（２８）が２つの管固定システムのテーパー部品（２２）の下に埋設さていることを特徴とする管固定システム。
【発明の詳細な説明】
【技術分野】
【０００１】
本発明は管固定システムに関するものであって、より具体的には、管を容易かつ迅速に固定及び取外すことができる管固定システムに関するものである。
【背景技術】
【０００２】
一般に、管型部材を接続することによって製造された構造の例としては、道路沿いまたは道路上に設置される街灯、看板、及び掲示板、ならびに給水管、排水管、ガス管、電動看板、広告塔などが挙げられる。
【０００３】
しかし、かかる溶接法またはネジ構造を採用する管固定システムには、管構造を固定及び取外しするために多くの時間と人的資源が必要とされるという難点がある。
【０００４】
管型構造を接続するため、管型構造の端部を、鋼板と密接している間に鋼板に溶接し、三角の鉄断片を、鋼板と管に密接している間に鋼板と管に溶接し、次いで管に接続された鋼板と鉄断片とをボルトで互いに結合させている。
【０００５】
管を接続するための管継手には、溶接接続及びネジ接続の両方が含まれる。 大型管を接続する場合は、管接続部分をゴムリングで覆い、さらに該ゴムリングを円形の金属材料で覆い、次いでボルトを用いて固定している。
【０００６】
かかる固定法には、管構造を設置するために多くの時間と人的資源が必要とされ、解体時に作業を逆順序で行わなくてはならないので作業が複雑化するというなど、いくつかの問題がある。
【０００７】
よって、看板または道路上の街灯の設置、修理及び保守、ならびに解体には、迅速な作業を実現することができる改良型固定法またはシステムが必要とされる。 また、大型の水道設備またはガス管の設置及び保守に対しては、迅速かつ信頼できる固定システムが要求される。
【発明の開示】
【発明が解決しようとする課題】
【０００８】
以上の点から、本発明は上記問題に鑑みてなされたものであって、溶接作業または他の補助作業を行うことなしに、管構造を容易に固定または接続、及び取外しすることができる管固定システムを提供することが本発明の目的である。
【０００９】
本発明の別の目的は、管構造の迅速な固定及び取外しができることから、経済的に設置と保守を行うこと可能な管固定システムを提供することである。
【００１０】
さらなる本発明の目的は、より堅固な管固定システム及び管構造の接続系を提供することである。
【００１１】
本発明のさらなる目的及び利点は、下記にその概要を示す添付図面と併せて、以下に記載した詳細な説明によってさらに完全に理解されるであろう。
【発明を実施するための最良の形態】
【００１２】
ここでは、本発明を添付図面を参照して好適な実施形態に関して詳細に説明する。
【００１３】
本発明に係る管固定システムは管構造の基部であって、挿入される管をその中に固定することを特徴とする。
【００１４】
本体２０には、本体２０に挿入された管１０の動きを止めるための、本体２０内側の下部分に形成された停止部２１と、管１０を密接に接触させ固定するための、停止部２１から本体２０の所定部分に延びた延長部分と、内部に中空部分を有し、かつ吸気口２３に向かって徐々に細くなった傾斜面を有するテーパー部２２と、本体２０中の管１０に挿入するため、テーパー部２２の端部で逆Ｌ字形状に折り曲げられるように形成された吸気口２３とが含まれる。
【００１５】
テーパー部２２の内部中空部分には、その中に取り付けられたいくつかの固定片２４を設け、各固定片２４の下部分を幅広く上部分を幅狭く形成する。 固定片２４の上部分は、外側から吸気口２３に挿入されたボルト２５に接続する。 ボルト２５を締め付けると、固定片２４は、ボルト２５に沿って上昇し、本体２０のテーパー部の傾斜面２２と管１０との間に挿入され、それによって楔作用をなす。 管１０は、楔作用によって安全確実に固定することが可能である。
【００１６】
固定片２４には、ボルトをその中に挿入するための吸入側に形成されたボルト穴２６が設けられている。よって、管１０を本体１０に挿入した後にボルトを締め付けると、固定片２４は上方向に引き上げられ、本体２０のテーパー部２２と管１０との間に固定され、楔作用をなす。
【００１７】
ボルト２５を締め付けることによって管の固定作業を完了する場合には、停止部２１の上部分から延びる延長部分及び固定片２４は、管１０を保持かつ固定し、その結果、管を確実に固定することができる。 特に、固定片２４の楔作用により、管１０を強い力で締め付けて管１０を固定することができる。
【００１８】
管１０を本発明の管固定システムから取外すために、ボルト２５をゆるめると、固定片２４はテーパー部２４のテーパー面に沿って下向きに幅広部分まで下がり、それによって、管１０を固定片２４の楔作用から解除することができ、したがって固定装置から容易に分離することができる。
【００１９】
本発明では、楔効果を最大化するためにボルトを用いるので、大型管の固定及び接続において非常に安全確実な効果を提供することができる。
【００２０】
好ましくは、安定した構造提供するために３つの固定片２４を使用し、装置の横長い形状に起因してボルトを締め付け中に生じ得る不安定性を防止するために２本のボルトを取り付ける。 起こり得るボルト外れに備えて、バネを固定片の下に取り付けるのは、安定性を提供するためである。
【００２１】
固定片の作用を最大化するため、固定片の表面硬度は、本体または管の硬度よりも高い必要がある。 管と密接に接触する延長部分は、摩擦力を最大化して管が挿入方向と逆方向に動かないように、ノコギリ状の歯形状に形成することが好ましい。 さらに、ボルト２５がテーパー部２２の始まり部分に達する場合には、管１０をさらに安全確実に固定することができる。
【００２２】
吸気口２３の中心方向に固定片２４のボルト穴２６を伸縮自在に形成するならば、固定片２４が本体２０の中心方向に動く際のボルト２５とボルト穴２６との間に生じる応力を低減させることができる。
【００２３】
ボルトを挿入するためのいくつかの垂直穴を設けた水平固定板２７を、固定装置の下部分に取り付ける。管固定システムを、ボルトを固定板２７の垂直穴に挿入して締着することによって、地下に埋めた基礎コンクリート上に設置する。
【００２４】
本発明は、少なくとも２つの管固定システムのベース部を向かい合わせて接続することによって、管構造のための堅固なＩ形、Ｌ形、またはＴ形の接続装置として使用することができる。
【００２５】
加えて、本発明の２つの管固定システムを一体に接合し、ゴムリングなどのパッキン２８をテーパー部２２の下に取り付けるような方式によって大型管継手を製造することもできる。管継手において、パッキン２８は気密作用を提供し、結合された本発明に係る管固定システムは管１０の動きを防止する。
【産業上の利用可能性】
【００２６】
上記のように、本発明に係る管固定システムは、簡単なネジ作用によって、管を容易に固定及び取外すことができる。 管を挿入方向の順方向および逆方向に固定し、作業者がボルトを緊締すると、楔作用により固定片を管に緊締することができ、したがって管の回転のために生じる管の位置ずれ防止することができるので、固定装置の安定性が改善される。
【００２７】
さらに、本発明は、管を容易かつ安定的に固定及び取外しすることができるので、管の恒久固定および暫定固定用途で広範に使用することができる。
【００２８】
また本発明は、溶接法を用いないので狭い場所でも管を容易かつ迅速に固定することができる。
【００２９】
本発明を特定の例示的な実施形態を参照して説明したが、本発明は実施形態によって限定されるものではなく、添付請求項のみによって制限されるものとする。 当業者であれば本発明の範囲及び趣旨から逸脱することなく実施形態変更または修正を行えることは当然のことである。
【図面の簡単な説明】
【００３０】
【図１】本発明の好適な実施形態に係る管固定システムの断面図。
【図２】吸入側から見た管の接続状態を示す図。
【図３】本発明の固定片の例示図。
【図４】本発明を用いた管構造系の断面図。
【図５】本発明の２つの管固定システムを結合することによって製造された管構造の接続系例示図。
【図６】本発明を用いた管継手。
【図１】
2006524784.tif 000003
【図２】
2006524784.tif 000004
【図３】
2006524784.tif 000005
【図４】
2006524784.tif 000006
【図５】
2006524784.tif 000007
【図６】
2006524784.tif 000008
【国際調査報告】
2006524784.tif 000009
2006524784.tif 000010